(57)【要約】【課題】シールドシェルにシールド電線のシールド編組を接続するシールド接続について、より信頼性の高い接続をなせるようにし、しかも接続構造の寸法増大を招かずに済み、さらにシールド接続の作業性を高めることができるようにする。【解決手段】円筒状の接続受け部５が設けられたシールドシェル１に対し接続受け部を介してシールド電線のシールド編組８をその端末部１１で接続するについて、シールド編組の端末部を接続受け部に覆い被せるとともに、帯状の加締部材１２を接続受け部に被覆の端末部に沿ってリング状に曲げることで形成される加締リング１３により接続受け部に被覆の端末部を加締めるようにしている。【選択図】  図４
2009277437.tif 000002
【特許請求の範囲】
【請求項１】
円筒状の接続受け部が設けられたシールドシェルに対し前記接続受け部を介してシールド電線のシールド編組をその端末部で接続するシールド接続構造において、
前記シールド編組の端末部は、前記接続受け部に覆い被せられるとともに、帯状の加締部材を前記接続受け部に被覆の前記端末部に沿ってリング状に曲げることで形成される加締リングにより加締められていることを特徴とするシールド接続構造。
【請求項２】
円筒状の接続受け部が設けられたシールドシェルに対し前記接続受け部を介してシールド電線のシールド編組をその端末部で接続するシールド接続方法において、
前記接続受け部に前記シールド編組の端末部を覆い被せた状態とするとともに、この状態で前記端末部を加締リングにより前記接続受け部との間で加締めることで前記シールドシェルに対する前記シールド編組の接続をなすようにされ、かつ前記加締リングは、前記接続受け部の外周長さ程度の長さとされるとともに、前記接続受け部の外周形状に対応する形状の円弧部とこの円弧部から延びる一対の平面部を有した帯状に形成された加締部材をリング状に曲げて形成するようにされ、さらに前記加締は、半円筒形の上側加圧面が形成されたクリンパと同じく半円筒形の下側加圧面が形成されたアンビルにより加圧してなすようにされ、そして
前記円弧部を介して前記下側加圧面に前記加締部材が載置された前記アンビルに、前記接続受け部に被覆の前記端末部を当該端末部が前記加締部材の前記円弧部に納まるようにしてセットするセット工程、
前記下側加圧面に載置の前記加締部材における前記一対の平面部を前記上側加圧面に摺接させた状態で前記クリンパに加圧動作を行わせることで前記一対の平面部を前記接続受け部に被覆の前記端末部に沿って曲げることにより前記加締リングを形成する加締リング形成工程、および
前記加締リング形成工程で形成された加締リングを前記クリンパと前記アンビルにより加圧して加締めることで前記端末部を前記接続受け部に密接させる加締工程を含むことを特徴とするシールド接続方法。
【請求項３】
前記シールド編組の端末部は、前記加締リングにより加締められた状態で溶接処理により前記接続受け部に接合されていることを特徴とする請求項１に記載のシールド接続構造。
【発明の詳細な説明】
【技術分野】
【０００１】
本発明は、シールドコネクタにおけるシールドシェルにシールド電線のシールド編組をその端末部で接続するシールド接続に関する。
【背景技術】
【０００２】
シールド電線をシールドコネクタに接続するについてはシールド電線のシールド編組をシールドコネクタにおけるシールドシェルに接続する。この場合、シールド編組の電磁遮蔽機能を安定的に発揮させるために、シールド編組のシールドシェルに対する接続について高い信頼性が求められる。こうした要求に応える技術として、例えば特許文献１や特許文献２に開示のシールド接続技術が知られている。これらのシールド接続技術は、いずれも、シールドシェルに設けられる円筒状の接続受け部を介してシールドシェルにシールド編組をその端末部で接続する場合である。
【０００３】
特許文献１では、シールドシェルに設ける円筒状の接続部材（接続受け部）をカシメ側半筒体と受け側半筒体で形成し、カシメ側半筒体の端縁部をカシメ部とする一方で、受け側半筒体の端縁部を歯状縁部とする。そしてこうした接続部材を介してシールドシェルにシールド電線のシールド層（シールド編組）を接続するについて、歯状縁部を外側からシールド層の編組線の隙間に貫通させてシールド層の内面に沿うように進入させ、またカシメ部をシールド層の外面側から歯状縁部と対応するように宛がってシールド層にカシメ付けるようにしている。このようなシールド接続技術によれば、シールド層を歯状縁部とカシメ部の間で挟圧することになるので、樹脂製のコアがへたってもシールド層の歯状縁部とカシメ部への密接状態が保たれ、接続の信頼性を高めることができる。
【０００４】
特許文献２のでは、円筒状の嵌め合い部（接続受け部）が設けられた接続端子を介してシールド編組のシールドシェルへの接続を行うようにしている。具体的には、接続端子の嵌め合い部をシールド電線のシールド編組と絶縁内皮の間に嵌入させる。つまりシールド編組の端末部を嵌め合い部に覆い被せる。そしてその状態で加締スリーブを嵌め込んで被せてから加締スリーブの外側から均一的に加締めることでシールド編組を嵌め合い部に密接させる。このようなシールド接続技術によれば、加締スリーブを介した加締めによりシールド編組を嵌め合い部に対して均一的に密接させることができ、接続の信頼性を高めることができる。
【０００５】
【特許文献１】特開平１１−１２１０５２号公報
【特許文献２】特開２０００−２６８９２４号公報
【発明の開示】
【発明が解決しようとする課題】
【０００６】
上記特許文献１や特許文献２のシールド接続技術は、いずれも接続の信頼性を高めるという点ではそれなり有効であるものの、必ずしも十分とはいえない。例えば特許文献１のシールド接続技術では、接続部材へのシールド編組の高い密接状態が得られるのは歯状縁部とカシメ部で挟圧されている部分だけであり、経時的に接続性が不安定になる可能性を残す。また特許文献１のシールド接続技術は、カシメ側半筒体のカシメ部と受け側半筒体の歯状縁部に重なりを必要とし、そのために接続構造の寸法が大きくなるという問題を抱えている。さらに特許文献１のシールド接続技術は、受け側半筒体の歯状縁部をシールド層に貫通させるようにセットするという煩雑な作業を必要とし、そのために作業性に難があるという問題も抱えている。
【０００７】
一方、特許文献２のシールド接続技術には、加締スリーブの寸法に関する問題がある。すなわちシールド接続の作業性を高めるには、シールド編組の端末部を覆い被せた嵌め合い部に加締スリーブを嵌め込み易くする必要があり、そのためには加締スリーブの径に余裕を持たせる必要があるが、そのようにすると、加締スリーブを介してシールド編組を加締める際に加締スリーブに大きな縮径を生じ、これに伴って加締スリーブに屈曲部分を生じ、その屈曲部分により接続構造の寸法が大きくなる。一方、こうした接続構造の寸法増大を避けるために加締スリーブの径をタイトにすると、嵌め込み抵抗が大きくなって作業性が低下することになる。
【０００８】
本発明は、以上のような事情を背景になされてものであり、その課題は、より信頼性の高いシールド接続をなすことができ、しかも接続構造の寸法増大を招くようなことがなく、さらにシールド接続の作業性に優れるシールド接続構造およびシールド接続方法の提供にある。
【課題を解決するための手段】
【０００９】
本発明では、上記課題を解決するために、円筒状の接続受け部が設けられたシールドシェルに対し前記接続受け部を介してシールド電線のシールド編組をその端末部で接続するシールド接続構造において、前記シールド編組の端末部は、前記接続受け部に覆い被せられるとともに、帯状の加締部材を前記接続受け部に被覆の前記端末部に沿ってリング状に曲げることで形成される加締リングにより加締められていることを特徴としている。
【００１０】
また本発明では、上記課題を解決するために、円筒状の接続受け部が設けられたシールドシェルに対し前記接続受け部を介してシールド電線のシールド編組をその端末部で接続するシールド接続方法において、前記接続受け部に前記シールド編組の端末部を覆い被せた状態とするとともに、この状態で前記端末部を加締リングにより前記接続受け部との間で加締めることで前記シールドシェルに対する前記シールド編組の接続をなすようにされ、かつ前記加締リングは、前記接続受け部の外周長さ程度の長さとされるとともに、前記接続受け部の外周形状に対応する形状の円弧部とこの円弧部から延びる一対の平面部を有した帯状に形成された加締部材をリング状に曲げて形成するようにされ、さらに前記加締は、半円筒形の上側加圧面が形成されたクリンパと同じく半円筒形の下側加圧面が形成されたアンビルにより加圧してなすようにされ、そして前記円弧部を介して前記下側加圧面に前記加締部材が載置された前記アンビルに、前記接続受け部に被覆の前記端末部を当該端末部が前記加締部材の前記円弧部に納まるようにしてセットするセット工程、前記下側加圧面に載置の前記加締部材における前記一対の平面部を前記上側加圧面に摺接させた状態で前記クリンパに加圧動作を行わせることで前記一対の平面部を前記接続受け部に被覆の前記端末部に沿って曲げることにより前記加締リングを形成する加締リング形成工程、および前記加締リング形成工程で形成された加締リングを前記クリンパと前記アンビルにより加圧して加締めることで前記端末部を前記接続受け部に密接させる加締工程を含むことを特徴としている。
【００１１】
以上のようなシールド接続構造やシールド接続方法は、加締リングを介して加締めることでシールド編組をシールドシェルの接続受け部に密接させるようにしていることから、シールド編組を接続受け部に対して均一的に密接させることができ、接続の信頼性をより高めることができる。
【００１２】
また以上のようなシールド接続構造やシールド接続方法は、帯状の加締部材を接続受け部に被覆の端末部に沿ってリング状に曲げることで加締リングを形成するようにしていることから、上述した特許文献１における重なり部や特許文献２における屈曲部分のような接続構造の寸法増大要因を加締リングに招くことを避けることができるとともに、例えば特許文献２のシールド接続技術のような加締スリーブを用いる場合に必要となる加締スリーブへのシールド編組の先通しを不要とすることができ、作業性を向上させることができる。
【００１３】
上記のようなシールド接続構造やシールド接続方法については、加締リングにより加締められた状態の端末部に溶接処理を施すことで、さらに接続の信頼性を高めることができる。こうしたことから本発明では、上記のようなシールド接続構造について、前記シールド編組の端末部は、前記加締リングにより加締められた状態で溶接処理により前記接続受け部に接合するようにすることを好ましい形態とし、また上記のようなシールド接続方法について、前記加締リングで加締られた状態の前記端末部を前記接続受け部に溶接で接合させる溶接工程をさらに含むことを好ましい形態としている。
【発明の効果】
【００１４】
以上のような本発明によれば、より信頼性の高いシールド接続をなすことができ、しかも接続構造の寸法増大を招かずに済み、さらにシールド接続の作業性を高めることができる。
【発明を実施するための最良の形態】
【００１５】
以下、本発明を実施するための形態について説明する。図１に示すのは、一実施形態によるシールド接続構造におけるシールドシェル１とシールド電線２の関係である。
【００１６】
シールドシェル１は、円筒状に形成された本体部３を有しており、この本体部３の一端側に縮径用のテーパ部４を介して円筒状の接続受け部５が適切な長さで一体的に形成されている。
【００１７】
シールド電線２は、撚り線である芯線６、芯線６を覆うようにして設けられた絶縁内皮７、絶縁内皮７を覆うようにして設けられたシールド編組８、およびシールド編組８を覆うようにして設けられた絶縁外皮９で構成され、そのシールド編組８がシールドシェル１に接続される。
【００１８】
シールド編組８のシールドシェル１への接続は、接続受け部５を介してなされる。具体的には、絶縁外皮９を剥ぎ取って露出させたシールド編組８の端末部１１を接続部として接続受け部５に覆い被せ、その状態で、加締部材１２から形成される加締リング１３を介して外周から加締め、さらにその加締状態で溶接処理することにより端末部１１を接続受け部５に接合させることでシールドシェル１とシールド編組８のシールド接続を行う。
【００１９】
図２に示すのは、以上のようなシールド接続での一過程におけるシールドシェル１の接続受け部５と加締部材１２およびシールド編組８の端末部１１の関係であり、端末部１１を覆い被せた接続受け部５を加締部材１２に対しセットした様子を断面状態で示してある。
【００２０】
図３に、加締部材１２とこれから形成される加締リング１３を斜視状態で示す。加締部材１２は、図３や図１、図２に見られるように、接続受け部５の外周形状に対応する形状の円弧部１４とこの円弧部１４から延びる一対の平面部１５ａ、１５ｂを有した帯状に形成され、その長さは接続受け部５の外周長さ程度とされて、その幅は接続受け部５の長さ程度とされている。
【００２１】
また加締部材１２は、これをリング状に曲げて加締リング１３とした際に加締リング１３に重なり部が生じるのを避けるための重なり回避構造が与えられている。具体的には、平面部１５ａの端縁を傾斜させて傾斜縁１６ａとするとともに、平面部１５ｂの端縁を傾斜縁１６ａとは逆の向きで傾斜させた傾斜縁１６ｂとし、加締部材１２をリング状に曲げた際にこれら傾斜縁１６ａと傾斜縁１６ｂがスカーフジョイント構造的に当接し合って加締リング１３を形成するようにしている。このため加締部材１２の長さが接続受け部５の外周長、より具体的には接続受け部５に覆い被さっている端末部１１の外周長より長くてもその過剰長さを傾斜縁１６ａと傾斜縁１６ｂの当接ずれで吸収することができ、また加締時に加締リング１３に生じる縮径についてもその縮径分を傾斜縁１６ａと傾斜縁１６ｂの当接ずれで吸収することができ、したがって加締リング１３に重なり部や屈曲部分が生じるのを避けることができる。
【００２２】
シールドシェル１とシールド編組８のシールド接続は、上述のように、シールド編組８の端末部１１を接続受け部５に覆い被せた状態としてから加締リング１３を介して外周から加締め、さらにその加締状態で溶接処理することにより端末部１１を接続受け部５に接合させることで行われる。以下では、こうしたシールド接続の詳細について説明する。
【００２３】
図４に模式化して示すように、シールド接続処理は、半円筒形の上側加圧面２１が形成されたクリンパ（上型）２２を備えるとともに、同じく半円筒形で上側加圧面２１と対になって円筒形となる下側加圧面２３が形成されたアンビル（下型）２４を備えたシールド接続装置を用いて行われ、図４の（ａ）のセット工程、図４の（ｂ）の加締リング形成工程、図４の（ｃ）の加締工程、図４の（ｄ）の溶接工程、および図４の（ｅ）の取出し工程を含む。
【００２４】
セット工程では、円弧部１４を介して下側加圧面２３に加締部材１２を載置してあるアンビル２４に接続受け部５に被覆の端末部１１をセットする。このセットは、端末部１１を加締部材１２の円弧部１４に納まらせるようにして行なう。ここで、加締時の加圧により接続受け部５が潰れるのを防ぐための治具を必要に応じて用いることがある。その治具としては、例えば接続受け部５の内側にぴったり嵌るような中子を用い、これを必要とする場合には、セット工程またはセット工程に先立って接続受け部５の内側に組み込むようにする。
【００２５】
加締リング形成工程では、下側加圧面２３に載置の加締部材１２における平面部１５ａ、１５ｂを上側加圧面２１に摺接させた状態でクリンパ２２に加圧動作を行わせることで平面部１５ａ、１５ｂを接続受け部５に被覆の端末部１１に沿って曲げることにより加締部材１２から加締リング１３を形成する。
【００２６】
加締工程では、加締リング１３をクリンパ２２とアンビル２４により加圧することで端末部１１を加締めることにより接続受け部５に密接させる。すなわちクリンパ２２による加圧力Ｐを上側加圧面２１と下側加圧面２３で加締リング１３に加えて端末部１１を加締め、これにより端末部１１を接続受け部５に密接させる。
【００２７】
溶接工程では、加締リング１３で加締られた状態の端末部１１を接続受け部５に溶接で接合させる。この場合の溶接は、例えば超音波溶接や加熱溶接で行われる。したがって超音波溶接とする場合は、クリンパ２２が超音波溶接用の加圧加振ヘッド（加圧加振ホーン）として機能し、加熱溶接とする場合は、クリンパ２２が加圧加熱ヘッドと機能することになる。
【００２８】
取出し工程では、クリンパ２２を引き上げ、シールド編組８とのシールド接続がなされたシールドシェル１をアンビル２４から取り出す。
【００２９】
以上、本発明を実施するための形態について説明したが、これは代表的な例に過ぎず、本発明はその趣旨を逸脱することのない範囲で様々な形態で実施することができる。例えば以上の実施形態では、加締リングにより加締めた状態で溶接を施すようにしている。このような溶接は、接続の信頼性をより一層高めるのに有効であるということで、加締リングによる加締めだけで足る場合であれば、省略するようにしてもよい。また以上の実施形態では、加締部材に与える重なり回避構造としてスカーフジョイント構造を用いていたが、これに限られず、例えばフィンガージョイント構造、つまり加締部材の各端部に凹凸を形成し、その凹凸を嵌め合わせるようにする構造を用いるようにしてもよい。
【図面の簡単な説明】
【００３０】
【図１】一実施形態によるシールド接続構造におけるシールドシェルとシールド電線の関係を簡略化して示す図である。
【図２】端末部を覆い被せた接続受け部を加締部材に対しセットした様子を断面状態について模式化して示す図である。
【図３】加締部材と加締リングを斜視状態で示す図である。
【図４】シールド接続処理の様子を模式化して示す図である。
【符号の説明】
【００３１】
１    シールドシェル
２    シールド電線
５    接続受け部
８    シールド編組
１１    端末部
１２    加締部材
１３    加締リング
１４    円弧部
１５ａ    平面部
１５ｂ    平面部
２１    上側加圧面
２２    クリンパ
２３    下側加圧面
２４    アンビル
【図１】
2009277437.tif 000003
【図２】
2009277437.tif 000004
【図３】
2009277437.tif 000005
【図４】
2009277437.tif 000006